(57)【要約】【課題】優先処理が指定された場合に、より迅速に優先処理を行う媒体取扱装置を提供することを目的とする。【解決手段】通帳に対して処理を行う通帳取扱装置において、リジェクトと判定された通帳Ｐを収納するリジェクトボックス８を有し、優先処理の指示があった場合に、処理中の通帳Ｐの処理を中断し、該通帳Ｐをリジェクトボックス８へ導いて一時退避させ、その間に新通帳Ｐ２の優先処理を実行するようにしたものである。【選択図】  図１
2008146308.tif 000002
【特許請求の範囲】
【請求項１】
媒体に対して処理を行う媒体取扱装置において、
優先処理の指示があった場合に、処理中の媒体の処理を中断し、該媒体を、前記優先処理を実行する範囲外で媒体の通常処理で使用する位置に導くことにより一時退避させ、前記優先処理を実行することを特徴とする媒体取扱装置。
【請求項２】
前記優先処理の指示があった場合、現在処理中の処理が終了した後、さらに媒体に対する他の処理が残っている場合に媒体を前記範囲外に一時退避させ、他の処理が残っていない場合に媒体を排出する請求項１記載の媒体取扱装置。
【請求項３】
前記優先処理の指示があった場合、該指示のあった時点における媒体処理の状況に応じて媒体を排出するかまたは媒体を前記範囲外に一時退避させるかを決定する請求項１記載の媒体取扱装置。
【請求項４】
前記範囲外の一時退避位置は、リジェクトと判定された媒体を収納するリジェクト収納部である請求項１または２または３記載の媒体取扱装置。
【請求項５】
前記優先処理の指示があった場合で、前記処理中の媒体が印字中である場合、前記優先処理の指示があった時点における印字処理の完了度に応じて、処理を続行した後前記処理中の媒体を一時退避させるかまたはすぐに一時退避させるかを決定する請求項１記載の媒体取扱装置。
【請求項６】
前記優先処理の指示があった場合で、前記処理中の媒体が印字中である場合、現在印字中の頁への印字が終了した後、前記処理中の媒体を一時退避させる請求項１記載の媒体取扱装置。
【発明の詳細な説明】
【技術分野】
【０００１】
本発明は、媒体に対して印字等の処理を行う媒体取扱装置に関し、とくに優先して媒体の処理を行う媒体取扱装置に関する。
【背景技術】
【０００２】
従来、媒体取扱装置としての通帳処理装置においては、磁気記録部や印字部を具備しており、挿入口から挿入された通帳を内部に搬送し、通帳の磁気ストライプに対して磁気データの読み出しおよび書き込みを行うとともに、印字部により通帳の中紙に取引情報を印字する処理をしている。また通帳を発行する場合には、内部に収納してある新規通帳に所定の印字処理および磁気ストライプ処理を行って排出することにより新通帳として発行している。このような通帳処理装置において、通帳を緊急に処理しなければならない状況が発生した場合、通常処理に優先して処理を行う優先処理機能を有するものが、例えば、特開平１０−３４０３０３号公報に記載されている。
【０００３】
この公報に記載された通帳処理装置としての情報表示処理装置では、申請書読取処理の際に印刷を優先モードで行うか通常モードで行うかを指定し、優先モードが指定されると優先発給識別用のフラグが立てられ、印刷データを印刷キューのどの位置に積むかを決定する際にフラグがオンの場合には、先に指定されている優先発給データの最後尾でかつ先に入力されている通常発給データの先頭の位置に積まれる（段落００６２参照）。これにより優先モードが指定された印刷データは通常発給データよりも優先して処理される。
【特許文献１】特開平１０−３４０３０３号公報
【発明の開示】
【発明が解決しようとする課題】
【０００４】
上記公報に記載の従来の通帳処理装置においては、通帳を緊急に発給しなければならない場合に、先に受け付けた通常発給の通帳に対して優先して発給することが可能であるが、しかしながら発給処理（印刷処理）は通帳単位で行われており、優先処理が指定された時点で、申請書読取処理とは独立して働く印刷処理が通帳印刷処理の途中である場合には、印刷処理の終了を待って優先処理を指定された通帳の印刷処理を行うようにしている。そのため待ち時間が発生し、更なる迅速な優先処理が期待されていた。
【０００５】
そこで本発明は、優先処理が指定された場合に、より迅速に優先処理を行う媒体取扱装置を提供することを目的とする。
【課題を解決するための手段】
【０００６】
上記課題を解決するために本発明は、媒体に対して処理を行う媒体取扱装置において、優先処理の指示があった場合に、処理中の媒体の処理を中断し、該媒体を、前記優先処理を実行する範囲外で媒体の通常処理で使用する位置に導くことにより一時退避させ、前記優先処理を実行することを特徴とするものである。
【０００７】
優先処理の指示があった場合、現在処理中の処理が終了した後、さらに媒体に対する他の処理が残っている場合には、媒体を優先処理の実行範囲外に一時退避させ、他の処理が残っていない場合に媒体を排出するようにしてもよい。また、優先処理の指示があった場合、該指示のあった時点における媒体処理の状況に応じて媒体を排出するかまたは媒体を優先処理の実行範囲外に一時退避させるかを決定するようにしてもよい。
【発明の効果】
【０００８】
本発明によれば、優先処理の指示があった場合に、処理中の媒体の処理を中断し、優先処理を実行する範囲外で通常処理で使用しない位置に処理中の媒体を導くことにより一時退避させ、その間に優先処理を実行することにより、優先処理が指示された媒体の処理をより迅速に行うことが可能となる。
【発明を実施するための最良の形態】
【０００９】
以下、本発明の実施の形態を図面にしたがって説明する。各図面に共通する要素には同一の符号を付す。図１は実施の形態の通帳取扱装置に具備される通帳処理装置を示す概略構成図、図２は実施の形態の通帳取扱装置を示す制御ブロック図である。なお本実施の形態では媒体取扱装置として通帳取扱装置を例に説明する。
【００１０】
図１において、実施の形態の通帳処理装置１には、処理する通帳が挿入されるとともに処理が終了した通帳が排出される挿入口２が設けられ、挿入口２の内側には通帳を出し入れする搬送ローラ対３ａ、３ｂが回転可能に設けられている。通帳処理装置１の内部には挿入口２に接続する搬送路４が設けられ、搬送路４に沿って磁気記録部５、印字部６、ページ捲り部７およびリジェクトカセット８が配設されている。図示してはいないが、搬送路４に沿って搬送ローラ対が設けられており、これらの搬送ローラ対により通帳が搬送路４上を搬送される。
【００１１】
磁気記録部５は磁気ヘッド９と搬送ローラ１０で構成され、通帳の表紙に設けられている磁気ストライプに対して磁気データの書き込み読み出しを行う。印字部６は印字ヘッド１１とプラテン１２から構成され、通帳の中紙等に取引データ等を印字する。ページ捲り部７は通帳の表紙または中紙を捲る機構から成り、例えば通帳の中紙への取引データの印字が満杯になった場合に中紙の捲り動作を行う。
【００１２】
リジェクトカセット（リジェクト収納部）８は装置外に発行してはならないと判定された通帳を取込み、保管するものである。ページ捲り部７とリジェクトカセット８との間の搬送路４ａには搬送ローラ対１３ａ、１３ｂが設けられている。通帳処理装置１にはそのほかに通帳装填カセット１４が設けられ、通帳装填カセット１４には複数の新通帳Ｐ２が繰り出し可能に収納されている。通帳装填カセット１４は繰出し搬送路１５により搬送路４に接続されている。繰出し搬送路１５には搬送ローラ対１６ａ、１６ｂが設けられ、また通帳装填カセット１４の繰出し側に対向する位置には繰出しローラ１７が位置づけられ、この繰出しローラ１７により新通帳Ｐ２が１枚ずつ繰出される。通帳装填カセット１４は通帳処理装置１内に複数設けられているが、ここでは代表して１つの通帳装填カセット１４を示す。
【００１３】
図２において、通帳取扱装置２０は例えば金融機関等で通帳の発行等に使用されるものであり、内部に通帳処理装置１が具備されている。通帳取扱装置２０には主制御部２１、記憶部２２、操作表示部２３、通信制御部２４が設けられている。主制御部２１は通帳取扱装置２０および通帳処理装置１の動作全体を制御するもので、通信制御部２４を介してホストサーバ２５に接続されている。主制御部２１は、ホストサーバ２５から優先処理メッセージを受信すると、通帳処理装置１に対して通帳の優先処理を指示する。
【００１４】
記憶部２２は主制御部２１が優先処理命令を出した際に通帳処理装置１で通帳の処理中である場合に、未処理のデータ等を格納する。操作表示部２３は係員が操作指示などを入力するとともに、入力の際のガイダンス等を表示する機能を有する。通信制御部２４は主制御部２１とホストサーバ２５との間の通信の授受を制御する。
【００１５】
通帳処理装置１には、制御部３１が設けられ、制御部３１は主制御部２１の指示に基づいて通帳処理装置１の動作全体を制御する。制御部３１には搬送駆動部３２、磁気制御部３３および印字制御部３４が接続されている。搬送駆動部３２は搬送モータ３５を駆動するもので、搬送モータ３５は図１に示す搬送路４および繰出し搬送路１５に沿って配設される搬送ローラ（搬送ローラ３ａ、３ｂ、１３ａ、１３ｂ、１６ａ、１６ｂを含む）を駆動する。
【００１６】
磁気制御部３３は、通帳の磁気ストライプに対して磁気データの書き込み読み出しを行う磁気ヘッド９を制御する。印字制御部３４は通帳に印字する印字データを印字ヘッド１１に送るとともに、印字ヘッド１１による印字動作を制御するものである。
【００１７】
次に本実施の形態の動作を説明する。ここでは通帳処理装置１の制御部２１の制御による通帳の優先処理を中心に図３および図４に示すフローチャートにしたがって説明する。図３および図４は実施の形態における優先処理動作を示すフローチャートである。
【００１８】
通帳の優先処理動作は、ホストサーバ２５からの指示または操作表示部２３からの指示により開始される。通帳取扱装置２０の主制御部２１は、ホストサーバ２５または操作表示部２３から優先処理メッセージを受信すると、通帳処理装置１に対して優先処理を実行する指示を出す。新通帳に印字される印字データはホストサーバ２５から送信される。通帳処理装置１の制御部３１は、優先処理実行の指示を受信すると（ステップ１）、通帳処理装置１において通帳Ｐの処理中であるかどうかをチェックする（ステップ２）。
【００１９】
通帳Ｐ１の処理中である場合には、制御部３１は、通帳Ｐ１の処理が未完了である旨を主制御部２１に通知する（ステップ３）。これにより主制御部２１は制御部３１に対して通帳Ｐ１を一時的に退避させる一時退避命令を出す。制御部３１はこの一時退避命令を受信すると（ステップ４）、現在行っている通帳Ｐ１の処理の内容に応じて次の処理を変える制御を行う。
【００２０】
まず通帳Ｐ１に対して印字処理中である場合（ステップ５）、印字中の頁に対する印字は最後まで継続実行する（ステップ６）。通帳Ｐ１の上記頁への印字が完了すると、印字動作を停止し（ステップ７）、さらに未処理の印字データがある場合には（ステップ８）、その未処理の印字データを主制御部２１に送信する（ステップ９）。このとき上記頁への印字が終了した旨の情報を同時に送信する。主制御部２１は未処理の印字データおよび印字終了の頁の情報を受信すると、その未処理データおよび頁情報を記憶部２２に格納する。
【００２１】
ステップ８において未処理の印字データがない場合、通帳Ｐ１への他の処理がまだ残っているかどうか確認し（ステップ１０）、残っていない場合には通帳Ｐ１を挿入口２から排出する（ステップ１１）。
【００２２】
ステップ９で未処理の印字データを主制御部２１に送信した後、制御部３１は、処理中の通帳Ｐを退避させる動作を行う（ステップ１２）。即ち、制御部３１は搬送駆動部３２を駆動し、印字部６にある通帳Ｐ１を見開きの状態で図５に示す矢印方向に搬送し、ページ捲り部７を通過し、リジェクトボックス８まで搬送して停止する。このとき通帳Ｐ１は、図５に示すように、ページ捲り部７からは完全に離れ、見開き状態の後半分が搬送ローラ対１３ａ、１３ｂに挟持された状態で停止する。なお図５は実施の形態における通帳退避動作を示す動作説明図である。このように処理中の通帳Ｐ１をリジェクトボックス８まで退避させることにより、優先処理が指示された通帳の処理を実行することが可能となる。
【００２３】
次に制御部３１は、繰出しローラ１７を駆動して、通帳装填カセット１４から新通帳Ｐ２を１枚繰出す（ステップ１３）。繰出し搬送路１５に繰出された新通帳Ｐ２は、搬送ローラ１６ａ、１６ｂにより搬送路４に繰出される。制御部３１はまず印字部６に対して新通帳Ｐ２に対して印字処理を行う指示を出す。これにより印字部６では新通帳Ｐ２に対して印字処理を行う（ステップ１４）。
【００２４】
まず新通帳Ｐ２を閉じた状態で新通帳Ｐ２の表紙に印字が行われ、その後新通帳Ｐ２をページ捲り部７へ搬送し、表紙を捲り、表紙を開いた状態で再度印字部６へ搬送する。表紙捲りの際、退避した通帳Ｐ１はページ捲り部７から離れているので、新通帳Ｐ２の表紙捲りに支障を来すことはない。再度印字部６に搬送された新通帳Ｐ２は所定のデータを印字される。
【００２５】
なお未記帳データ又は取引データがある場合には、ページ捲り部７で中紙を開き、印字部６でこれらのデータを印字する。このときもし印字処理の際に新通帳Ｐ２の印字ページが満杯になると、一旦印字動作を中断し、新通帳Ｐ２をページ捲り部７へ搬送し、新通帳Ｐ２の中紙を１枚捲る動作を行う。その後再び印字部６へ搬送し、印字動作を再開する。
【００２６】
印字処理が終了すると、次に制御部３１は、新通帳Ｐ２を磁気記録部５へ搬送し、新通帳Ｐ２の磁気ストライプに対して顧客の口座番号や印字処理頁行等の磁気データを書き込むとともに確認の読み出しを行う（ステップ１５）。磁気ストライプ処理が終了すると、制御部３１は新通帳Ｐ２を挿入口２方向へ搬送し、新通帳Ｐ２を挿入口２から排出する（ステップ１６）。これにより新通帳Ｐ２の優先処理を終了し、制御部３１は優先処理が終了したことを主制御部２１に通知する（ステップ１７）。
【００２７】
なお新通帳Ｐ２の印字処理または磁気ストライプ処理の途中でリジェクトが発生した場合、制御部３１は操作表示部２３にリジェクトが発生した旨の表示を行い、新通帳Ｐ２を挿入口２へ搬送し、挿入口２から排出する。そして新たに通帳装填カセット１４から新通帳Ｐ２を１枚繰出し、上記ステップ１４からステップ１７の処理を行う。
【００２８】
制御部３１は次に退避通帳があるかどうか判断し（ステップ１８）、ある場合は、まだ終了していない処理が残っているか判断し（ステップ１９）、全ての処理が終了したと判断した場合には、退避していた通帳Ｐ１を搬送して挿入口２から排出し（ステップ２０）、処理を終了する。まだ終了していない処理として印字処理が残っている場合、退避していた通帳Ｐ１を印字部６へ搬送し、印字処理を行う（ステップ２１）。このとき、退避する前に中断した印字処理を続行する場合であれば、中断前に印字が終了した頁の次の頁から印字が再開されることはいうまでもない。
【００２９】
印字処理が終了すると、まだ終了していない処理が残っているか判断し（ステップ２２）、さらに磁気ストライプ処理が残っている場合には、通帳Ｐ１を磁気記録部５へ搬送し、磁気ストライプ処理を行って終了させる（ステップ２３）。この処理が終了すると、制御部３１は、残っていた処理が終了したことを主制御部２１に通知し（ステップ２４）、ステップ５へ移行する。
【００３０】
ステップ５において、通帳Ｐ１が磁気ストライプの処理中である場合は（ステップ２５）、磁気ストライプ処理を続行して終了させ（ステップ２６）、通帳Ｐ１への処理がまだ残っているかどうか判断する（ステップ２７）。処理がすべて終了した状態になったと判断した場合、通帳Ｐ１を挿入口２へ搬送し、挿入口２から排出し（ステップ２８）、通帳Ｐ１に対する全ての処理を終了させる。この場合に通帳Ｐ１を排出させるのは、磁気記録部５が挿入口２に近く、リジェクトボックス８まで退避させるより排出した方が処理が速いからである。
【００３１】
ステップ２７において通帳Ｐ１に対する処理がまだ残っていると判断した場合、制御部３１は、処理中の通帳Ｐを退避させる動作を行う（ステップ１２）。ステップ１３以降の動作は上述の通りであるが、この場合、ステップ２１における印字処理は中断後の継続処理ではなく、新たな印字処理となる。
【００３２】
ステップ２５において磁気ストライプ処理中ではないと判断され、ステップ２９で通帳Ｐ１がページ捲り中であると判断された場合、ページ捲り動作を続行して終了させ（ステップ３０）、その後通帳Ｐ１を退避させる（ステップ１２）。この場合にまだ処理が残っているかどうかを判断せずに通帳Ｐ１を退避させるのは、ページ捲りを行った場合は通常その後にまだ処理が残っている場合が多く、また通帳Ｐ１の退避路（リジェクトボックス８への搬送路）がページ捲り部７から近い位置にあるからである。
【００３３】
ステップ２９において通帳Ｐ１がページ捲り中ではないと判断された場合は、通帳Ｐは搬送中であると判断され（ステップ３１）、通帳Ｐ１への処理がまだ残っているかどうか判断する（ステップ３２）。処理がすべて終了した状態になったと判断した場合、即ち、通帳Ｐ１は現在全ての処理を終了して挿入口２方向へ搬送中であると判断した場合、引き続き通帳Ｐ１を挿入口２へ搬送し、挿入口２から排出し（ステップ３３）、通帳Ｐ１に対する全ての処理を終了させる。この場合には通帳Ｐ１をリジェクトボックス８まで戻して退避させるより排出した方が処理が速いからである。
【００３４】
ステップ３２で通帳Ｐ１に対する処理がまだ残っていると判断した場合、制御部３１は、処理中の通帳Ｐ１を退避させる動作を行う（ステップ１２）。この場合は、まだ残っている処理が開始されていないので、通帳Ｐは退避させる。ステップ１３以降の動作は上述の通りである。
【００３５】
以上のように本実施の形態によれば、通帳Ｐ１の処理中に優先処理が発生した場合、処理中の通帳Ｐ１をリジェクトボックス８へ退避させ、その後新通帳Ｐ２を繰出して優先処理を行い、優先処理が終了した後、上記処理中の通帳Ｐ１の処理を続行するようにしたので、新通帳Ｐ２の優先処理を迅速に行うことができる。また退避路として、通帳の通常処理で使用するリジェクトボックス８およびリジェクトボックス８への搬送路４ａを退避路としているので、専用の退避路を設けることなく、通帳の一時退避が可能である。
【００３６】
また上記実施の形態では優先処理メッセージを受信した場合に、処理中の通帳Ｐ１の処理状態により必ずしも全ての場合に通帳Ｐ１を退避させてはおらず、例えば通帳Ｐ１を排出した方が処理が速い場合は排出するようにしているので、処理の状況に応じて、迅速な対応をすることができる。
【００３７】
本発明は上記実施の形態に限定されることなく種々の変形が可能である。例えば、上記実施の形態では優先処理として新通帳Ｐ２の発行を行う場合について説明したが、優先処理はこれに限られず、発行済みの通帳に印字処理等の処理を行う場合も含まれることは云うまでもない。この場合、処理中の通帳Ｐ１を一時退避させた後、優先処理を行う通帳を挿入口２から挿入し、印字処理や磁気ストライプ処理を行う。
【００３８】
また上記実施の形態ではリジェクトボックス８およびリジェクトボックス８への搬送路４ａを退避路としているが、優先処理が新通帳Ｐ２の発行処理である場合にはページ捲り動作は通常は行われないので、こうした場合には処理中の通帳Ｐ１をページ捲り部７に退避させるようにしてもよい。このようにすることにより、退避中の通帳Ｐ１は印字部６および磁気記録部５に近くなるので、処理中の通帳Ｐ１の残った処理を迅速に行うことができる。
【００３９】
さらに上記実施の形態では処理中の通帳Ｐ１が印字中である場合、現在印字している頁への印字が終了した後、通帳Ｐ１を退避させているが、これに限らず、頁全体への印字の終了を待たずに、例えば、現在印字中の行の印字が終了した時点で、通帳Ｐ１を退避させるようにしてもよい。この場合には勿論印字が終了した最後の行の情報を保持しておかなければならないが、このように行の印字を終了した時点で通帳Ｐ１を退避させることにより、より迅速な優先処理を行うことが可能となる。
【００４０】
或いは印字が通帳Ｐ１の頁の最初の部分に対するものである場合は、印字中の行の印字が終了した時点で印字を中断して通帳Ｐ１の退避を行い、印字が通帳Ｐ１の頁の後半の部分に対するものである場合は、その頁への印字を終了した後、通帳Ｐ１を退避させるようにしてもよい。
【００４１】
また上記実施の形態では媒体として通帳を例にして説明したが、証書の処理を行う装置にも本発明は適用可能である。
【図面の簡単な説明】
【００４２】
【図１】実施の形態の通帳処理装置を示す概略構成図である。
【図２】実施の形態の通帳取扱装置を示す制御ブロック図である。
【図３】実施の形態における優先処理動作を示すフローチャートである。
【図４】実施の形態における優先処理動作を示すフローチャートである。
【図５】実施の形態における通帳退避動作を示す動作説明図である。
【符号の説明】
【００４３】
１  通帳処理装置
２  挿入口
５  磁気記録部
６  印字部
７  ページ捲り部
８  リジェクトボックス
１４  通帳装填カセット
２０  通帳取扱装置
２１  主制御部
２２  記憶部
２３  操作表示部
３１  制御部
【図１】
2008146308.tif 000003
【図２】
2008146308.tif 000004
【図３】
2008146308.tif 000005
【図４】
2008146308.tif 000006
【図５】
2008146308.tif 000007